(57)【要約】      （修正有）【課題】スパウト付パウチに充填後、支障なくスパウトにヒンジキャップを打栓シールできて、液状内容物の高速充填が可能なヒンジキャップ付スパウトを提供する。【解決手段】パウチ２の端部２ｂに溶着固定され、溶着部３とこれの上方に形成される注出筒４とを有するスパウト５と、天面６及びその外周縁の下方に延びるスカート７からなるキャップ本体８とこれにヒンジ９を介して連接された上蓋１０とからなるヒンジキャップ１１とで構成され、スパウト５にはリブ１２が立設され、ヒンジキャップ１１のスカート７には打栓時にリブ１２と嵌合する溝が形成されており、これにより、スパウトから液状内容物を高速充填でき、スパウトにヒンジキャップを打栓封着する際、上蓋の開閉方向とパウチの方向性とを整合させることが出来ると共に、打栓後ヒンジキャップが回転しズレることを防ぐことも可能となる。【選択図】図１
2007204063.tif 000002
【特許請求の範囲】
【請求項１】
周縁が溶着されたパウチを構成するシート間の端部に溶着固定されたヒンジキャップ付スパウトであって、該ヒンジキャップ付スパウトは、溶着部と該溶着部の上方に形成される注出筒とを有するスパウトと、天面と該天面の外周縁から下方に延びるスカートからなるキャップ本体と該キャップ本体にヒンジを介して連接された上蓋とからなるヒンジキャップと、で構成されており、該ヒンジキャップは該注出筒に打栓封着されており、該注出筒の外周面に接続した位置または該注出筒から離間した位置には、上方に延びるリブが立設されており、該ヒンジキャップのスカートには、打栓時に該リブと嵌合する係合部が形成されてなることを特徴とするヒンジキャップ付スパウト。
【請求項２】
前記係合部が前記ヒンジキャップのスカート下端に形成された前記リブと係合可能な溝部である請求項１記載のヒンジキャップ付スパウト。
【請求項３】
前記係合部が前記ヒンジキャップの前記スカート外周に形成される係合用リブであり、該係合用リブと前記注出筒から連結部を介して上方に延びる前記リブとの係合状態は、上記一方のリブが１本で、他方のリブが、該１本のリブを挟み込むように形成されてなる請求項１記載のヒンジキャップ付スパウト。
【請求項４】
前記ヒンジキャップの上蓋の開口方向が、前記容着部の長手方向または該長手方向と直角方向に向くようにされた請求項１ないし３のいずれか１項記載のヒンジキャップ付スパウト。
【発明の詳細な説明】
【技術分野】
【０００１】
本発明は、各種の調味料などのパウチに装着して使用するヒンジキャップ付スパウトに関し、より詳しくは、パウチに固定すると共に注出筒を有するスパウトを容器の端部に装着した状態で、前記注出筒を介して内容物を充填し、その後に、該注出筒の上方からヒンジキャップを嵌着出来るようにしたヒンジキャップ付スパウトに関する。
【背景技術】
【０００２】
ヒンジキャップ付スパウトは、パウチなどの容器に固定すると共に注出筒を有するスパウトと、そのスパウトに装着しキャップ本体と上蓋とがヒンジ部を介して連結したヒンジキャップと、で構成する。スパウトは、パウチなどのように柔軟性があり廃棄が容易であるがそのままでは注出しずらい容器に、確実な液状内容物の注出を付与するものとして多く使用されている。一方、ヒンジキャップは、その開閉自在性に加え易開封性も付与して利便性を高めて、調味料などの使用頻度の高い、すなわち、開閉頻度の高い液状内容物を収容する容器に多く使用されている。
【０００３】
このように両者の優れた点を結合したヒンジキャップ付スパウトは、スパウトにヒンジキャップを打栓あるいは螺着して一体とした状態で、そのスパウト部分をパウチの端部に溶着固定して液密にすると共に、容易に外れないようにして液密状態を維持し、上述のとおり、キャップ本体に開封用のプルリングを設けて上記易開封性を実現したり、上記ヒンジ連結した上蓋にて開閉自在にしている。
その一例として下記特許文献１に記載されたものが知られている。
【特許文献１】特開２００３−８１３１５号公報
【０００４】
特許文献１に記載されたヒンジキャップ付スパウトは、スパウトとキャップ本体がヒンジを介して一体に形成されているものであり、その目的とするところは、注出口の口径に関係なく、バージン性に優れ、注出口部分にゴミ等が付着しにくい構成とされているものである。このように、ヒンジキャップ付スパウトは、使い勝手が良いため広く普及しているが、このヒンジキャップ付スパウトを装着したパウチなどの容器内に液状内容物を充填するには、パウチに別途設けた充填口から液状内容物を充填し、その後充填口を閉じる必要がある。
【発明の開示】
【発明が解決しようとする課題】
【０００５】
上記した特許文献１記載のヒンジキャップを装着したスパウトは、パウチに別途設けた充填口から液状内容物を充填し、その後充填口を閉じるようにされているため、例えば、液状内容物が高温であったりすると、充填口のシールに手間取り、液状内容物の高速充填が難しくなる。現状のように、パウチにヒンジキャップ付スパウトを多用するような状況になると、液状内容物の状況に関係なく、高速充填は避けて通ることのできない技術的な要請事項である。したがって、パウチに液状内容物を充填するのに、それ専用の充填口から行うことなく、パウチに溶着したスパウトから直接充填し、その後スパウトにヒンジキャップを嵌着、例えば打栓封着するようにすれば、液状内容物の高速充填ができる可能性が出て来る。
【０００６】
しかしながら、スパウトにヒンジキャップを打栓する際、同時にヒンジキャップのヒンジの位置、すなわち、上蓋の開閉方向と、スパウトに溶着しているパウチの方向性との整合性も充分考慮する必要がある。さらに、スパウトにヒンジキャップを打栓した直後のヒンジキャップのズレについても、回り止めなどを施すなど充分考慮する必要があり、それらを充分考慮したヒンジキャップ付スパウトが望まれている。
【０００７】
そこで、本発明の目的は、スパウトから液状内容物を容器に充填してから、スパウトにヒンジキャップを装着することで最終的にシールでき、その際上蓋の開閉方向とパウチの方向性とを整合させ且つヒンジキャップのズレを防ぐことが可能で、液状内容物の高速充填が可能なヒンジキャップ付スパウトを提供することにある。
【課題を解決するための手段】
【０００８】
本発明は、上記目的を達成するために提案されたものであって、下記の構成からなることを特徴とするものである。
すなわち、本発明によれば、周縁が溶着されたパウチを構成するシート間の端部に溶着固定されたヒンジキャップ付スパウトであって、該ヒンジキャップ付スパウトは、溶着部と該溶着部の上方に形成される注出筒とを有するスパウトと、天面と該天面の外周縁から下方に延びるスカートからなるキャップ本体と該キャップ本体にヒンジを介して連接された上蓋とからなるヒンジキャップと、で構成されており、該ヒンジキャップは該注出筒に打栓封着されており、該注出筒の外周面に接続した位置または該注出筒から離間した位置には、上方に延びるリブが立設されており、該ヒンジキャップのスカートには、打栓時に該リブと嵌合する係合部が形成されてなることを特徴とするヒンジキャップ付スパウトが提供される。
【０００９】
また、本発明によれば、前記係合部が前記ヒンジキャップのスカート下端に形成された前記リブと係合可能な溝部であるヒンジキャップ付スパウトが提供される。
【００１０】
また、本発明によれば、前記係合部が前記ヒンジキャップの前記スカート外周に形成される係合用リブであり、該係合用リブと前記注出筒から連結部を介して上方に延びる前記リブとの係合状態は、上記一方のリブが１本で、他方のリブが、該１本のリブを挟み込むように形成されてなるヒンジキャップ付スパウトが提供される。
【００１１】
また、本発明によれば、前記ヒンジキャップの上蓋の開口方向が、前記溶着部の長手方向または該長手方向と直角方向に向くようにされたヒンジキャップ付スパウトが提供される。
【発明の効果】
【００１２】
本発明のヒンジキャップ付スパウトは、パウチの端部にスパウトを溶着固定しておき、スパウトの注出筒を通じて液状内容物を充填した後でその注出筒にヒンジキャップを打栓封着するが、その際注出筒のリブにヒンジキャップのスカートの係合部を係合させた状態で打栓封着させる。したがって、スパウトからパウチ内に液状内容物を充填でき、スパウトにヒンジキャップを嵌着することで最終的にシールでき、しかも、同時に上蓋の開閉方向とパウチの方向性とを整合させ且つヒンジキャップのズレも防ぐことができて、液状内容物の高速充填が可能となる効果がある。
【００１３】
また、本発明のヒンジキャップ付スパウトは、注出筒にヒンジキャップを打栓封着する際、注出筒のリブにヒンジキャップのスカートの溝部を係合させることができるため、上記効果をさらに容易確実に得ることができる。
【００１４】
また、本発明のヒンジキャップ付スパウトは、注出筒にヒンジキャップを打栓封着する際、注出筒のリブをヒンジキャップのスカートの係合用リブにて挟み込むように係合させルことが出来るため、上記効果をさらに容易確実に得ることができる。
【００１５】
また、本発明のヒンジキャップ付スパウトは、注出筒にヒンジキャップを打栓封着する際、外蓋の開口方向を溶着部の長手方向あるいは長手方向に直角に向け得るように、注出筒のリブをヒンジキャップのスカートの係合部に係合させることができるため、上記効果に加えて、上蓋の開口方向をスパウトの溶着部の長手方向、あるいは長手方向に直角に向けることができる効果がある。
【発明を実施するための最良の形態】
【００１６】
以下に、図面を参照して本発明を実施するための最良の形態を説明する。
【実施例１】
【００１７】
図１は本発明の実施の一形態を示すヒンジキャップ付スパウトの断面図、図２は同ヒンジキャップ付スパウトのヒンジ側から見た側面図、図３は同ヒンジキャップ付スパウトにおけるスパウトの平面図、図４は同ヒンジキャップ付スパウトにおけるヒンジキャップの側面図、図５は同ヒンジキャップ付スパウトにおける係合部の位置を説明するヒンジキャップの平面図である。
これらの図面において、ヒンジキャップ付スパウト１は、周縁２ａが溶着されたパウチ２を構成するシート間の端部２ｂに溶着固定されたものであり、溶着部３と該溶着部３の上方に形成される注出筒４とを有するスパウト５と、天面６と該天面６の外周縁から下方に延び、スカート７からなるキャップ本体８と該キャップ本体８にヒンジ９を介して連接された上蓋１０とからなるヒンジキャップ１１とで構成されている。このヒンジキャップ１１は注出筒４に打栓封着されており、この注出筒４の外周面から離間した位置には、上方に延びるリブ１２が立設されており、ヒンジキャップ１１のスカート７には、打栓時にリブ１２と嵌合する溝１３（係合部）が形成されてなるものである。
【００１８】
ヒンジキャップ付スパウト１を装着するパウチ２は、その端部２ｂにスパウト５の溶着部３を溶着できるものであれば特に限定がなく、どのようなタイプ、材質でも良い。この実施例１では、特に調味料などの頻繁に小出しするものに利用して、上蓋１０による開閉が比較的多く行われるヒンジキャップであるのでポリプロピレンを採用しており、スパウトはポリエチレンを採用している。パウチはスパウトとの溶着を考慮し、内層がポリエチレン層である多層シートから作られたパウチである。
【００１９】
スパウト５は、パウチ２の端部２ｂに溶着固定するための溶着部３と、この溶着部３の上方に形成される注出筒４とを有している。溶着部３は平面形状が舟形をなし、この溶着部３の長手方向と平行にパウチ２が溶着される。注出筒４の外周面上部には環状に嵌合凹部２０が設けられ、ヒンジキャップ１１のキャップ本体８が注出筒４に打栓された際、キャップ本体８のスカート７の内周面に設けられている嵌合凸部７ａが嵌合凹部に係止し、キャップ本体８が注出筒４から取り外すことが出来ないようになっている。そして、この嵌合凹部２０の下方に位置する注出筒４の外周面から離間した位置には、図３に示すように、リブ１２が溶着部長手方向の周方向に対向する位置に２本立設されている。
【００２０】
ヒンジキャップ１１のキャップ本体８は、その天面６上に注出口２１及びこれの外側に外周壁２２が設けられいる。外周壁２２の上部外周面には環状突条２２ａが設けられており、後に詳述する上蓋１０の筒壁１４の端部内面に設けられた凹み部２３と係止して上蓋の閉栓状態を維持できるようになっている。また、スカート７の内側には内筒２４が設けられており注出筒４の内側と係止する。即ち、スカート７と内筒４に囲まれる打栓部分２５が形成され、この打栓部分２５に注出筒４をあてがい打栓することで、注出筒４を封着する。
【００２１】
スカート７の下端には、図４、５に示すように、上記した注出筒４のリブ１２に係合する溝１３、すなわち、４本の溝１３ａ、１３ｂ、１３ｃ、１３ｄが設けられている。これら溝１３ａ、１３ｂ、１３ｃ、１３ｄは、リブ１２の形状に対応しており、溝１３ａはヒンジ９の長手方向中心下のスカート７に設けられ、残りの溝１３ｂ、１３ｄは溝１３ａの左右に９０度隔てた位置、１３ｃは、溝１３ａの対向面のスカート７に設けられていれば良い。スパウト５におけるリブ１２が１本に対して、ヒンジキャップ１１における溝１３ａ、１３ｂ、１３ｃ、１３ｄが９０度隔てて４本ある理由は、スパウト５の注出筒４にヒンジキャップ１１を打栓封着する際、外蓋１０の開口方向を溶着部３の長手方向あるいは長手方向に直角に向け得るようにして、上蓋１０の開口方向とパウチ２の方向性とを整合させ、その上にヒンジキャップ１１のズレも防ぐことができるようにしたためである。
【００２２】
また、注出口２１の内側にある弱化ライン１５に囲まれる部分は、破断除去可能な開封予定部１６であり、この開封予定部１６にはプルリング１７が支柱１７ｂを介して設けられており、指を掛けて引っ張ると、弱化ライン１５を破断して開封予定部１６を除去、すなわち開封することが出来る。なお、図１中、１７ａはプルリング１７に指を掛ける際のスベリ止めである。一方、開封後のシールは、キャップ本体８の注出口２１に後述の上蓋１０のインナーリング１８が嵌合することによりなされる。
【００２３】
上蓋１０は、既述のとおり、ヒンジキャップ１１のキャップ本体８にヒンジ９を介して開閉自在に取り付けられ、天板２６とこれの外周縁から下方に延びる筒壁１４で構成されて、天板２６下にはインナーリング１８が設けられ、さらにヒンジ９に対向した筒壁１４の端部外面には鍔２７が設けられて上蓋１０の開栓をし易くしている。また、筒壁１４の端部内面には凹み部２３が設けられている。
【００２４】
次に、上記構成になるヒンジキャップ付スパウト１の利用方法について図面に基づいて説明する。
まず、パウチ２並びにこれに適合するスパウト５とヒンジキャップ１１とに分かれ、図６に示すように、周縁２ａを溶着してなるパウチ２の端部２ｂに、スパウト５の溶着部３を溶着固定する。次に、図７に示すように、スパウト５の注出筒４に液状内容物の充填パイプ３０を挿入し、充填パイプ３０からパウチ２内に液状内容物３１を充填する。充填し終わったら、図８に示すように、スパウト５の注出筒４にヒンジキャップ１１をあてがい打栓封着する（図１の状態）。
【００２５】
その際、上蓋１０の開口方向を溶着部３の長手方向あるいは長手方向に直角に向けるかを事前に決めておく。外蓋１０の開口方向を溶着部３の長手方向に向ける場合は、スパウト５のリブ１２にヒンジキャップ１１の溝部１３ａと１３ｃが係合するように打栓封着する。長手方向に直角に向ける場合は、スパウト５のリブ１２にヒンジキャップ１１の溝部１３ｂと１３ｄが係合するように打栓封着する。そうすると、リブ１２が溝部１３ａ、１３ｂ、１３ｃ，１３ｄのうち対向する２つの溝１３がリブ１２と係合しているため、回り止めの役割を果たし、ヒンジキャップ１１はスパウト５上で回転することがない。
【００２６】
本発明の製品を使用するに当たっては、上蓋１０の鍔２７に手指を掛け押し上げれば、キャップ本体８から上蓋１０を開けることができる。次に、プルリング１７に手指を掛け引っ張れば、弱化ライン１５を破断して開封予定部１６を除去し開封することが出来る。そして、キャップ本体８の注出口２１からパウチ２内の液状内容物３１を、必要量だけ必要箇所に注ぎ込むことが出来る。その液状内容物３１を注ぎ終わった後、キャップ本体８に上蓋１０を被せると、その過程で注出口２１に上蓋１０のインナーリング１８が嵌合して、パウチ２内の液状内容物３１が漏れないように密封する。
【実施例２】
【００２７】
図９、１０は本発明の他の実施の形態を示すヒンジキャップ付スパウトであり、このヒンジキャップ付スパウト１ａと図１ないし８に示す実施例１との相違点は、スパウト５の注出筒４からやや離間した位置に、上方に延びるリブ１２ａが一本立設し、このリブ１２ａを挟み込むような係合部である係合リブ３２を、ヒンジキャップ１１のスカート７外周に形成している点にある。係合リブ３２は、２本のリブ３３により構成され、ヒンジ９の長手方向中心下のスカート７外周面及び上方から見て反時計方向にこれから９０度隔てたスカート７外周面に設けられている。その他の構成、作用は実施例１と同様なので図面に符合を付して、その説明を省略する。
【００２８】
以上、本発明の実施例１、２を説明したが、具体的な構成はこれに限定されず、例えば、容器内が加圧状態であっても適用可能であり、また、リブを注出筒の下方に接続する形で設けることや、溝をスカート壁の下端面から上方に延びる孔にすることなど、本発明の要旨を逸脱しない範囲での変更は適宜可能であることは理解されるべきである。
【産業上の利用可能性】
【００２９】
本発明のヒンジキャップ付スパウトは、パウチに液状内容物を高速充填したいような場合に利用可能性が高く、特に液状内容物の性質上パウチのシールに手間取るような場合に利用可能性が極めて高くなる。
【図面の簡単な説明】
【００３０】
【図１】本発明の実施例１に示した実施の形態を示すヒンジキャップ付スパウトの断面図である。
【図２】同ヒンジキャップ付スパウトのヒンジ側から見た側面図である。
【図３】同ヒンジキャップ付スパウトにおける係合部の位置を説明するスパウトの平面図である。
【図４】同ヒンジキャップ付スパウトにおけるヒンジキャップの側面図である。
【図５】同ヒンジキャップ付スパウトにおけるヒンジキャップの平面図である。
【図６】本発明のヒンジキャップ付スパウトの使用状態の断面図である。
【図７】本発明のヒンジキャップ付スパウトの使用状態の断面図である。
【図８】本発明のヒンジキャップ付スパウトの使用状態の断面図である。
【図９】本発明の実施例２に示した他の実施の形態を示すヒンジキャップ付スパウトの断面図である。
【図１０】図９に示したヒンジキャップ付スパウトにおけるヒンジキャップの平面図である。
【符号の説明】
【００３１】
１，１ａ                  ヒンジキャップ付スパウト
２                        パウチ
２ａ                      周縁
２ｂ                      端部
３                        溶着部
４                        注出筒
５                        スパウト
６                        天面
７                        スカート
７ａ                      嵌合凸部
８                        キャップ本体
９                        ヒンジ
１０                      外蓋
１１                      ヒンジキャップ
１２，１２ａ，３３        リブ
１３，１３ａ〜１３ｄ      溝
１４                      筒壁
１５                      弱化ライン
１６                      開封予定部
１７                      プルリング
１７ａ                    すべり止め
１７ｂ                    支柱
１８                      インナーリング
２０                      嵌合凹部
２１                      注出口
２２                      外周壁
２２ａ                    環状突条
２３                      凹み部
２４                      内筒
２５                      打栓部分
２６                      天板
２７                      鍔
３０                      充填パイプ
３１                      液状内容物
３２                      係合リブ
【図１】
2007204063.tif 000003
【図２】
2007204063.tif 000004
【図３】
2007204063.tif 000005
【図４】
2007204063.tif 000006
【図５】
2007204063.tif 000007
【図６】
2007204063.tif 000008
【図７】
2007204063.tif 000009
【図８】
2007204063.tif 000010
【図９】
2007204063.tif 000011
【図１０】
2007204063.tif 000012